(57)【要約】【課題】煩雑な管理を行わなくとも、陳列棚に載置されている商品の量に関わらず、商品の冷却効率の向上を図ること。【解決手段】商品収納域２１が内部に画成され、この商品収納域２１と外部とを連通する態様で前面が開口した本体キャビネット２０と、空気を吹き出すための吹出口３１を本体キャビネット２０の開口の上縁部および下縁部のいずれか一方に有するとともに、他方に吸込口３２を有する空気流通ダクト３０と、商品収納域２１に配設され、商品が載置される陳列棚４０とを備え、吹出口３１から吸込口３２に冷却された空気を流通させるショーケース１０において、陳列棚４０において商品が載置される部位に、本体キャビネット２０の左右方向の一端部から他端部に亘って配置され、かつ上面から下面まで連通する通気孔４１を形成した。【選択図】        図３
2010203757.tif 000002
【特許請求の範囲】
【請求項１】
商品収納域が内部に画成され、この商品収納域と外部とを連通する態様で前面が開口した本体キャビネットと、
空気を吹き出すための吹出口を前記本体キャビネットの開口の上縁部および下縁部のいずれか一方に有するとともに、他方に吸込口を有する空気流通ダクトと、
前記商品収納域に配設され、商品が載置される陳列棚とを備え、
前記吹出口から前記吸込口に冷却された空気を流通させるショーケースにおいて、
前記陳列棚において商品が載置される部位に、前記本体キャビネットの左右方向の一端部から他端部に亘って配置され、かつ上面から下面まで連通する通気孔を形成した
ことを特徴とするショーケース。
【請求項２】
前記陳列棚には、本体キャビネットの開口に近接した前方側にのみ通気孔を形成したことを特徴とする請求項１に記載のショーケース。
【請求項３】
前記本体キャビネットには、商品収納域を構成する内壁において開口から離隔した後方側に位置する部位に、冷却された空気を商品収納域の内部に吹き出す内部吹出口を形成し、
前記陳列棚には、本体キャビネットの開口から離隔した後方側にのみ通気孔を形成したことを特徴とする請求項１に記載のショーケース。
【請求項４】
前記本体キャビネットには、商品収納域を構成する内壁において開口から離隔した後方側に位置する部位に、冷却された空気を商品収納域の内部に吹き出す内部吹出口を形成し、
前記陳列棚と前記内壁の側壁との間には、商品収納域の空気を上下方向に通過させる上下間隙を確保したことを特徴とする請求項１に記載のショーケース。
【請求項５】
前記商品収納域の内部には、本体キャビネットの開口に近接した前方側と後方側とを仕切るカーテンを配設したことを特徴とする請求項３または請求項４に記載のショーケース。
【請求項６】
前記陳列棚の下面と前記カーテンの上縁との間には、当該カーテンによって仕切られた前方側と後方側との間に空気を流通させるための前後間隙を確保したことを特徴とする請求項５に記載のショーケース。
【発明の詳細な説明】
【技術分野】
【０００１】
本発明は、ショーケースに関するものである。
【背景技術】
【０００２】
従来、ショーケースの中には、前面が開口した箱状の本体キャビネットを備えたオープンショーケースと称されるものがある。このショーケースの本体キャビネットは、内部に商品収納域を画成するもので、この商品収納域と外部とが開口を通じて連通している。このような本体キャビネットを構成する外壁と内壁との間には、空気流通ダクトが形成されている。この空気流通ダクトは、吹出口が本体キャビネットの開口の上縁部に形成されている一方、吸込口が本体キャビネットの開口の下縁部に形成されている。また、商品収納域には、陳列棚が上下方向に複数配設されている。この陳列棚は、商品を載置するためのもので、本体キャビネットの内壁にそれぞれ支持されている。
【０００３】
また、空気流通ダクトの内部には、送風ファンおよび冷却手段が設けられている。送風ファンは、駆動した場合に、空気流通ダクトの内部において吸込口側から吹出口側に空気を送出するものである。冷却手段は、駆動した場合に、空気流通ダクトの内部において送風ファンが吹出口側に送出する空気を冷却するものである。
【０００４】
このショーケースでは、送風ファンおよび冷却手段を駆動すると、冷却手段によって冷却された空気が吹出口から吸込口に向けて吹き出されてエアカーテンが形成されることになる。その後、吸込口から吸い込まれた空気は、空気流通ダクトを通じて冷却されながら再び吹出口に送出されることになる。したがって、前述したエアカーテンにより、商品収納域を冷却することができることになり、これにより陳列棚に載置された商品を冷却することができる（例えば、特許文献１参照）。
【０００５】
【特許文献１】特開２００５−３１２５８６号公報
【発明の開示】
【発明が解決しようとする課題】
【０００６】
ところで、従来のショーケースでは、陳列棚に載置されている商品が減少した場合に、商品収納域において商品が取り除かれた無駄なスペースも冷却することになる。そのため、商品が減少するにしたがって冷却手段の駆動による商品の冷却効率が悪化することになり、これを改善することが望まれていた。なお、こうした問題は、手動操作することにより冷却手段の冷却能力を制御する制御手段を備えることで改善することが可能であるが、この場合、陳列棚に載置されている商品の量に応じて制御手段を手動操作しなければならず、管理が煩雑となる。
【０００７】
本発明は、上記実情に鑑みて、煩雑な管理を行わなくとも、陳列棚に載置されている商品の量に関わらず、商品の冷却効率の向上を図ることのできるショーケースを提供することを目的とする。
【課題を解決するための手段】
【０００８】
上記の目的を達成するために、本発明の請求項１に係るショーケースは、商品収納域が内部に画成され、この商品収納域と外部とを連通する態様で前面が開口した本体キャビネットと、空気を吹き出すための吹出口を前記本体キャビネットの開口の上縁部および下縁部のいずれか一方に有するとともに、他方に吸込口を有する空気流通ダクトと、前記商品収納域に配設され、商品が載置される陳列棚とを備え、前記吹出口から前記吸込口に冷却された空気を流通させるショーケースにおいて、前記陳列棚において商品が載置される部位に、前記本体キャビネットの左右方向の一端部から他端部に亘って配置され、かつ上面から下面まで連通する通気孔を形成したことを特徴とする。
【０００９】
また、本発明の請求項２に係るショーケースは、上述した請求項１において、前記陳列棚には、本体キャビネットの開口に近接した前方側にのみ通気孔を形成したことを特徴とする。
【００１０】
また、本発明の請求項３に係るショーケースは、上述した請求項１において、前記本体キャビネットには、商品収納域を構成する内壁において開口から離隔した後方側に位置する部位に、冷却された空気を商品収納域の内部に吹き出す内部吹出口を形成し、前記陳列棚には、本体キャビネットの開口から離隔した後方側にのみ通気孔を形成したことを特徴とする。
【００１１】
また、本発明の請求項４に係るショーケースは、上述した請求項１において、前記本体キャビネットには、商品収納域を構成する内壁において開口から離隔した後方側に位置する部位に、冷却された空気を商品収納域の内部に吹き出す内部吹出口を形成し、前記陳列棚と前記内壁の側壁との間には、商品収納域の空気を上下方向に通過させる上下間隙を確保したことを特徴とする。
【００１２】
また、本発明の請求項５に係るショーケースは、上述した請求項３または請求項４において、前記商品収納域の内部には、本体キャビネットの開口に近接した前方側と後方側とを仕切るカーテンを配設したことを特徴とする。
【００１３】
また、本発明の請求項６に係るショーケースは、上述した請求項５において、前記陳列棚の下面と前記カーテンの上縁との間には、当該カーテンによって仕切られた前方側と後方側との間に空気を流通させるための前後間隙を確保したことを特徴とする。
【発明の効果】
【００１４】
本発明にかかるショーケースは、陳列棚において商品が載置される部位に、本体キャビネットの左右方向の一端部から他端部に亘って配置され、かつ上面から下面まで連通する通気孔が形成してある。このため、陳列棚に載置されている商品が取り除かれれば通気孔が開放されることになり、吹出口から吹き出される空気が通気孔を通過できるようになる。したがって、通気孔が本体キャビネットの左右方向の一端部から他端部に亘って開放されれば、吹出口から吸込口に至るまでの空気がより本体キャビネットの内方側を流通することになり、商品収納域において冷却すべきスペースを小さくすることができるため、これにより商品の冷却効率の向上を図ることができるようになる。しかも、この場合、陳列棚に載置されている商品が取り除かれるだけで自動的に上述した効果を奏することができる。したがって、商品の冷却効率の向上を図る場合に、例えば、陳列棚に載置されている商品の量に応じて冷却手段の管理を行う必要がない。
【００１５】
また、陳列棚の後方側にのみ通気孔を形成したり、陳列棚と内壁の側壁との間に上下間隙を確保した場合には、吹出口から吹き出された空気が外気と接する機会がほとんどなくなるため、吸込口から空気流通ダクトに吸い込まれる空気の温度上昇を可及的に抑えることで商品の冷却効率の向上を図ることも可能となる。
【図面の簡単な説明】
【００１６】
【図１】図１は、本発明の実施の形態１であるショーケースを一部断面で示した側面図である。
【図２】図２は、図１に示したショーケースに適用する陳列棚の平面図である。
【図３】図３は、図１に示したショーケースにおいて、陳列棚の最前列に載置されていた商品が取り除かれた状態を一部断面で示す側面図である。
【図４】図４は、図３に示した陳列棚を上方から見た図である。
【図５】図５は、図１に示したショーケースに適用する陳列棚の変形例１を示す平面図である。
【図６】図６は、図１に示したショーケースに適用する陳列棚の変形例２を示す平面図である。
【図７−１】図７−１は、図１に示したショーケースに適用する陳列棚の変形例３を示す平面図である。
【図７−２】図７−２は、図７−１におけるＡ−Ａ線断面図である。
【図８】図８は、図１に示したショーケースに適用する陳列棚の変形例４を示す平面図である。
【図９】図９は、本発明の実施の形態２であるショーケースを一部断面で示した側面図である。
【図１０】図１０は、図９に示したショーケースに適用する陳列棚の平面図である。
【図１１】図１１は、図９に示したショーケースにおいて、陳列棚の後方側に載置されていた商品が取り除かれた状態を一部断面で示す側面図である。
【発明を実施するための最良の形態】
【００１７】
以下に添付図面を参照して、本発明にかかるショーケースの好適な実施の形態を詳細に説明する。
【００１８】
（実施の形態１）
図１は、本発明の実施の形態１であるショーケースを一部断面で示した側面図、図２は、図１に示した陳列棚を上方から見た図である。ここで例示するショーケース１０は、図１に示すように、前面が開口したオープンショーケースと称されるもので、内部に収納した商品Ｇを冷却した状態で販売するためのものである。
【００１９】
ショーケース１０は、図１に示すように、本体キャビネット２０を備えている。本体キャビネット２０は、前面が開口した箱状の断熱筐体であり、その内部に商品収納域２１が画成してある。この商品収納域２１は、商品Ｇを収納するためのもので、本体キャビネット２０の開口２０ａを通じて外部と連通している。
【００２０】
図１からも明らかなように、本体キャビネット２０を構成する内壁２２の天壁２２ａ、側壁２２ｂおよび底壁２２ｃは、略コの字状（図１参照）に構成してある。これら天壁２２ａおよび底壁２２ｃは、それぞれ側壁２２ｂから略直角を成すように延在しており、その側壁２２ｂからの延在長さを、天壁２２ａよりも底壁２２ｃが長くなるように構成してある。また、天壁２２ａの延在端部（前端部）には、上ガイド部２２ｄが設けてある一方、底壁２２ｃの延在端部（前端部）には、下ガイド部２２ｅが設けてある。天壁２２ａの上ガイド部２２ｄは、該天壁２２ａの前端部から略直角を成すように下方に向けて延在する部分である。底壁２２ｃの下ガイド部２２ｅは、該底壁２２ｃの前端部から上方に向かうにつれて僅かに前方に傾斜延在する部分である。
【００２１】
一方、図１からも明らかなように、本体キャビネット２０を構成する外壁２３の天壁２３ａ、側壁２３ｂおよび底壁２３ｃは、内壁２２の周囲に、略コの字状（図１参照）に構成してある。これら天壁２３ａおよび底壁２３ｃは、それぞれ側壁２３ｂから略直角を成すように延在しており、その側壁２３ｂからの延在長さを、天壁２３ａよりも底壁２３ｃが長くなるように構成してある。また、天壁２３ａの延在端部（前端部）には、上ガイド部２３ｄが設けてある一方、底壁２３ｃの延在端部（前端部）には、下ガイド部２３ｅが設けてある。天壁２３ａの上ガイド部２３ｄは、内壁２２の上ガイド部２２ｄと略平行となるように、天壁２３ａの前端部から内壁２２の上ガイド部２２ｄの先端部と同一高さまで延在する部分である。底壁２３ｃの下ガイド部２３ｅは、内壁２２の下ガイド部２２ｅと略平行となるように、底壁２３ｃの前端部から内壁２２の下ガイド部２２ｅの先端部と同一高さまで延在する部分である。
【００２２】
このような本体キャビネット２０を構成する内壁２２と外壁２３との間には、図１に示すように、空気流通ダクト３０が形成してある。空気流通ダクト３０は、内壁２２の天壁２２ａと外壁２３の天壁２３ａとの間の空間、内壁２２の側壁２２ｂと外壁２３の側壁２３ｂとの間の空間、および内壁２２の底壁２２ｃと外壁２３の底壁２３ｃとの間の空間を連通する態様で略コの字状（図１参照）に形成してある。また、空気流通ダクト３０の一端は、内壁２２の上ガイド部２２ｄと、外壁２３の上ガイド部２３ｄとの間の空間に連通し、本体キャビネット２０の開口２０ａの上縁部に吹出口３１を有している。一方、空気流通ダクト３０の他端は、内壁２２の下ガイド部２２ｅと、外壁２３の下ガイド部２３ｅとの間の空間に連通し、本体キャビネット２０の開口２０ａの下縁部に吸込口３２を有している。図１からも明らかなように、空気流通ダクト３０において吸込口３２は、吹出口３１よりも前方側に構成してある。
【００２３】
また、空気流通ダクト３０の内部には、図１に示すように、送風ファン３３が配設してある。送風ファン３３は、回転駆動した場合に、空気流通ダクト３０の内部において吸込口３２側から吹出口３１側に空気を送出するものである。この送風ファン３３は、空気流通ダクト３０において内壁２２の底壁２２ｃと外壁２３の底壁２３ｃとの間となる部位に配設してある。
【００２４】
さらに、空気流通ダクト３０の内部には、図１に示すように、冷却ユニット３４を構成する蒸発器３４ａおよび膨張弁３４ｂまでが配設してある。一方、冷却ユニット３４を構成する凝縮器３４ｃおよび圧縮機３４ｄは、ショーケース１０の外部に配設してある。これら蒸発器３４ａ、膨張弁３４ｂ、凝縮器３４ｃおよび圧縮機３４ｄは、配管を介して接続されることにより冷却ユニット３４を構成している。この冷却ユニット３４は、蒸発器３４ａ、膨張弁３４ｂ、凝縮器３４ｃ、および圧縮機３４ｄの間で冷媒を循環する冷凍サイクルを構成して蒸発器３４ａで周囲空気を冷却するものである。図１からも明らかなように、冷却ユニット３４の蒸発器３４ａは、空気流通ダクト３０において送風ファン３３の吹出口３１側に配設してあり、駆動した場合に、送風ファン３３が吹出口３１側に送出する空気を冷却することになる。
【００２５】
また、本体キャビネット２０の商品収納域２１には、図１に示すように、陳列棚４０が配設してある。陳列棚４０は、図１および図２に示すように、商品Ｇを載置するためのもので、上下方向に複数（本実施の形態１では３つ）配設してある。この陳列棚４０は、平板状を成すもので、略水平に延在するように、それぞれの一端部を内壁２２の側壁２２ｂに支持させてある。図１からも明らかように、陳列棚４０は、他端部が空気流通ダクト３０の吹出口３１の鉛直下方域において、本体キャビネット２０の内方側に配置されるように構成してある。
【００２６】
このような陳列棚４０には、図１および図２に示すように、通気孔４１が形成してある。通気孔４１は、陳列棚４０の上面から下面に亘って連通してあり、図２に示すように、該陳列棚４０の全域に亘って複数（本実施の形態１では４５個）形成してある。具体的には、この通気孔４１は、開口面が円形を成すもので、陳列棚４０において本体キャビネット２０の前後方向および左右方向に沿って互いに中心間距離ｄを確保した位置にそれぞれ配置してある。
【００２７】
ここで、本実施の形態１では、外形形状が円柱状を成す商品Ｇを、陳列棚４０に複数載置している。具体的には、この商品Ｇは、陳列棚４０における通気孔４１の上面開口の内径よりも大きく、かつ複数の通気孔４１における中心間距離ｄよりも小さな外径を有するように構成されている。そして、この商品Ｇは、その円形を成す底面を介してそれぞれの通気孔４１を略同一軸心となる態様で閉塞するように、陳列棚４０の上面にそれぞれ載置してある。これにより、商品Ｇが、陳列棚４０の通気孔４１と同様に、本体キャビネット２０の前後方向および左右方向に沿ってそれぞれ整列して配置されることになる。
【００２８】
上記のように構成したショーケース１０では、送風ファン３３および冷却ユニット３４を駆動すると、図１中の矢印で示すように、送風ファン３３が送出する空気が冷却ユニット３４の蒸発器３４ａの周囲を通過する際に冷却されることになる。そして、冷却ユニット３４の蒸発器３４ａによって冷却された空気は、空気流通ダクト３０の吹出口３１を通じて吸込口３２に向けて吹き出されてエアカーテン（図１破線参照）を形成することになる。その後、空気流通ダクト３０の吸込口３２から吸い込まれた空気は、図１中の矢印で示すように、冷却ユニット３４の蒸発器３４ａによって冷却されながら再び吹出口３１に送出されることになる。したがって、前述したエアカーテンと、空気流通ダクト３０の内部とで循環する空気により、商品収納域２１を冷却することができることになり、これにより陳列棚４０に載置された商品Ｇを冷却することができる。
【００２９】
すなわち、図１および図２に示すように、最も商品Ｇが補充されている場合、つまり、全ての陳列棚４０の通気孔４１が商品Ｇによって閉塞されている場合にあっては、全ての商品Ｇが本体キャビネット２０の開口２０ａに形成されるエアカーテンの内方側に配置されることになる。
【００３０】
一方、例えば、陳列棚４０に載置されている商品Ｇが客によって取り除かれた場合には、該商品Ｇによって閉塞されていた通気孔４１が開放されることになり、この通気孔４１を空気流通ダクト３０の吹出口３１から吹き出される空気が通過できるようになる。したがって、吹出口３１から吸込口３２に至る空気の流通を、商品Ｇによって通気孔４１が閉塞されていた場合と比較して、円滑にすることができる。これにより、吸込口３２に外気が吸い込まれる事態を抑制することができるようになり、商品Ｇの冷却効率の向上を図ることができる。
【００３１】
ここで、上述した状態からさらに陳列棚４０に載置されている商品Ｇが客によって取り除かれ、図３および図４に示すように、陳列棚４０に載置されている商品Ｇにおいて、最前列に載置されている商品Ｇが全て取り除かれた場合を考える。この状態においても、商品Ｇによって閉塞されていた通気孔４１が開放されることになり、この通気孔４１を空気流通ダクト３０の吹出口３１から吹き出される空気が通過できるようになる。しかも、この状態にあっては、陳列棚４０において、最前列の通気孔４１が本体キャビネット２０の左右方向の一端部から他端部に亘って開放されることになる。したがって、本体キャビネット２０の開口２０ａに形成されるエアカーテン（図３破線参照）が、図１に示す状態と比較して、前後方向に幅広となるように本体キャビネット２０の内方側にも形成されることになり、商品収納域２１において冷却すべきスペースを小さくすることができる。これにより、冷却ユニット３４の駆動を省エネルギー化できることになり、商品Ｇの冷却効率の向上を図ることができるようになる。
【００３２】
また、上述した状態からさらに陳列棚４０に載置されている商品Ｇが客によって取り除かれた場合にも、陳列棚４０において、通気孔４１が本体キャビネット２０の左右方向の一端部から他端部に亘って開放されれば、本体キャビネット２０の開口２０ａに形成されるエアカーテンが、図３に示す状態と比較して、前後方向に幅広となるように本体キャビネット２０の内方側にも形成されることになり、商品収納域２１において冷却すべきスペースをさらに小さくすることができる。これにより、冷却ユニット３４の駆動を省エネルギー化できることになり、商品Ｇの冷却効率の向上をさらに図ることができるようになる。
【００３３】
上記のように構成したショーケースによれば、陳列棚４０において商品Ｇが載置される部位に、本体キャビネット２０の左右方向の一端部から他端部に亘って配置され、かつ上面から下面まで連通する通気孔４１が形成してある。このため、陳列棚４０に載置されている商品Ｇが取り除かれれば通気孔４１が開放されることになり、吹出口３１から吹き出される空気が通気孔４１を通過できるようになる。したがって、通気孔４１が本体キャビネット２０の左右方向の一端部から他端部に亘って開放されれば、吹出口３１から吸込口３２に至るまでの空気がより本体キャビネット２０の内方側を流通することになり、商品収納域２１において冷却すべきスペースを小さくすることができるため、これにより商品Ｇの冷却効率の向上を図ることができるようになる。しかも、この場合、陳列棚４０に載置されている商品Ｇが取り除かれるだけで自動的に上述した効果を奏することができる。したがって、商品Ｇの冷却効率の向上を図る場合に、例えば、陳列棚４０に載置されている商品Ｇの量に応じて冷却ユニット３４の管理を行う必要がない。
【００３４】
なお、本実施の形態１では、全域に亘って通気孔４１が形成された陳列棚４０を例示しているが、必ずしも全域に亘って通気孔４１を形成する必要はない。例えば、図５の変形例１に示すように、本体キャビネット２０の前方側のみに通気孔１４１が形成された陳列棚１４０であっても、陳列棚１４０に載置されている商品Ｇが客によって取り除かれ、陳列棚１４０において、通気孔１４１が本体キャビネット２０の左右方向の一端部から他端部に亘って開放されれば、実施の形態１と同様の作用効果を奏することができる。
【００３５】
また、本実施の形態１では、陳列棚４０に形成される通気孔４１の大きさによって該通気孔４１を通過する空気量が決定されるが、この通気孔４１を通過する空気量を変更可能に構成してもよい。
【００３６】
図６は、図１に示した陳列棚の変形例２を示す平面図である。この変形例２に示した陳列棚２４０は、上述した実施の形態１と同様に、一端部を、本体キャビネット２０を構成する内壁２２の側壁２２ｂに支持させたもので、通気調節部材２５０を備える点のみが異なっている。なお、変形例２において上述した実施の形態１と同様の構成に関しては同一の符号を付してそれぞれの詳細説明を省略する。
【００３７】
陳列棚２４０は、実施の形態１と同様に構成したもので、図６に示すように、通気調節部材２５０を備えている。通気調節部材２５０は、陳列棚２４０の通気孔２４１を通過する空気量を変更するためのものである。この通気調節部材２５０は、平板状を成す板材であり、陳列棚２４０の下面に重ね合わせた状態で、かつ本体キャビネット２０の左右方向に沿ってスライド可能となるように、陳列棚２４０に保持させてある。図６に示すように、この変形例２では、通気調節部材２５０の大きさを、陳列棚２４０と同一に構成してある。
【００３８】
また、通気調節部材２５０には、図６に示すように、調節孔２５１が形成してある。調節孔２５１は、通気調節部材２５０の上面から下面に亘って連通してあり、該通気調節部材２５０の全域に亘って複数（この変形例２では４５個）形成してある。具体的には、この調節孔２５１は、開口面が陳列棚２４０の通気孔２４１と同一となるように構成したもので、該陳列棚２４０の通気孔２４１と同様に、通気調節部材２５０において本体キャビネット２０の前後方向および左右方向に沿って互いに中心間距離ｄを確保した位置にそれぞれ配置してある。この変形例２では、例えば、いわゆるパンチング加工を通気調節部材２５０に施すことにより、複数の調節孔２５１を形成している。なお、この変形例２では、陳列棚２４０と通気調節部材２５０とに、別個の部材を適用しているが、通気調節部材２５０を陳列棚２４０として採用し、部品共通化を図ることも好適である。
【００３９】
このように構成した陳列棚２４０では、図６に示すように、陳列棚２４０に対して通気調節部材２５０を本体キャビネット２０の左右方向に沿ってスライド移動することにより、上方から見た場合の通気孔２４１の開口面積を変更することができる。すなわち、陳列棚２４０の通気孔２４１に対して調節孔２５１を重ね合わせるように通気調節部材２５０を移動すれば、通気孔２４１を開放することができる。一方、この状態から、陳列棚２４０に対して通気調節部材２５０を本体キャビネット２０の左右方向に沿ってスライド移動すれば、通気孔２４１の一部を通気調節部材２５０で覆うことにより、通気孔２４１の開口面積を小さくすることができる。したがって、通気孔２４１を通過する空気量を変更することができる。
【００４０】
この変形例２の陳列棚２４０であっても、陳列棚２４０に載置された商品Ｇが客によって取り除かれ、陳列棚２４０において、通気孔２４１が本体キャビネット２０の左右方向の一端部から他端部に亘って開放されれば、実施の形態１と同様の作用効果を奏することができる。
【００４１】
さらに、上述した実施の形態１およびその変形例では、開口面が円形を成す通気孔が形成された陳列棚を例示しているが、必ずしも通気孔の開口面を円形としなくてもよい。
【００４２】
図７−１は、図１に示した陳列棚の変形例３を示す平面図である。この変形例３に示した陳列棚３４０は、上述した実施の形態１と同様に、一端部を、本体キャビネット２０を構成する内壁２２の側壁２２ｂに支持させたもので、通気孔の形状、およびこの通気孔の縁部に案内部３４２を有する点のみが異なっている。なお、変形例３において上述した実施の形態１と同様の構成に関しては同一の符号を付してそれぞれの詳細説明を省略する。
【００４３】
陳列棚３４０の通気孔３４１は、図７−１および図７−２に示すように、陳列棚３４０の上面から下面に亘って連通してあり、該陳列棚３４０の全域に亘って複数（この変形例３では４５個）形成してある。具体的には、この通気孔３４１は、開口面が商品Ｇの底面よりも小さな三角形を成すもので、陳列棚３４０において本体キャビネット２０の前後方向および左右方向に沿って互いに中心間距離ｄを確保した位置にそれぞれ配置してある。この変形例３では、陳列棚３４０の一部を開口面が三角形を成すように切り起こして案内部３４２を設けることにより、複数の通気孔３４１を形成している。具体的には、案内部３４２が、図７−２に示すように、通気孔３４１における前方側の縁部から下方に向かうにつれて漸次本体キャビネット２０の後方側に向けて傾斜延在するように、陳列棚３４０の一部を切り起こしている。
【００４４】
この変形例３の陳列棚３４０であっても、陳列棚３４０に載置されている商品Ｇが客によって取り除かれ、陳列棚３４０において、通気孔３４１が本体キャビネット２０の左右方向の一端部から他端部に亘って開放されれば、実施の形態１と同様の作用効果を奏することができる。しかも、この場合、通気孔３４１を通過する空気を、案内部３４２の延在方向に案内することができる。したがって、例えば、案内部３４２よりも下方、かつ後方側に配置される商品Ｇに向けて空気を案内できることになり、この商品Ｇの冷却を促進することができる。
【００４５】
図８は、図１に示した陳列棚の変形例４を示す平面図である。この変形例４に示した陳列棚４４０は、上述した実施の形態１と同様に、一端部を、本体キャビネット２０を構成する内壁２２の側壁２２ｂに支持させたもので、通気孔の形状のみが異なっている。なお、変形例４において上述した実施の形態１と同様の構成に関しては同一の符号を付してそれぞれの詳細説明を省略する。
【００４６】
陳列棚４４０の通気孔４４１は、陳列棚４４０の上面から下面に亘って連通してあり、該陳列棚４４０の全域に亘って複数（この変形例４では９個）形成してある。具体的には、この通気孔４４１は、開口面が本体キャビネット２０の左右方向に沿って長手状を成すもので、陳列棚４４０において本体キャビネット２０の前後方向および左右方向に沿って互いに間隔ｄを確保した位置にそれぞれ配置してある。この変形例４では、通気孔４４１における本体キャビネット２０の前後方向に沿った長さを、商品Ｇの直径よりも短く構成する一方、該通気孔４４１における本体キャビネット２０の左右方向に沿った長さを商品Ｇの直径よりも長く構成してある。
【００４７】
このように構成した陳列棚４４０では、最も商品Ｇが補充されている状態にあっても、通気孔４４１に開放されている部分が確保されることになる。そのため、通気孔４４１の開放されている部分を、空気流通ダクト３０の吹出口３１から吹き出される空気の一部が常時通過できることになる。したがって、吹出口３１から吸込口３２に至る空気の流通を、商品Ｇによって通気孔４４１が覆われていた場合と比較して、円滑にすることができる。これにより、吸込口３２に外気が吸い込まれる事態を抑制することができるようになり、商品の冷却効率の向上を図ることができる。
【００４８】
この変形例４の陳列棚４４０であっても、陳列棚４４０に載置されている商品Ｇが客によって取り除かれ、陳列棚４４０において、通気孔４４１が本体キャビネット２０の左右方向の一端部から他端部に亘って開放されれば、実施の形態１と同様の作用効果を奏することができる。
【００４９】
（実施の形態２）
図９は、本発明の実施の形態２であるショーケースを一部断面で示した側面図、図１０は、図９に示した陳列棚を上方から見た平面図である。ここで例示するショーケース５１０は、実施の形態１で示したショーケース１０と同様、前面が開口したオープンショーケースと称され、本体キャビネット２０の内部に収納した商品Ｇを外部から取り出し可能に冷却するためのもので、実施の形態１とは陳列棚５４０の構成および商品収納域２１の内部に内部吹出口５３１を有する点で相違している。以下においては、実施の形態１と同様の構成に同一の符号を付してそれぞれの詳細説明を省略し、相違する点についてのみ詳述していく。
【００５０】
実施の形態２のショーケース５１０で適用する陳列棚５４０は、図９および図１０に示すように、平板状を成すもので、それぞれが略水平に延在する態様で上下方向に複数（本実施の形態２では３つ）配設してある。図からも明らかなように、それぞれの陳列棚５４０は、ブラケット５４０ａを介して内壁２２の側壁２２ｂに支持させてあり、本体キャビネット２０の開口２０ａから離隔した後方側の縁部と内壁２２の側壁２２ｂとの間に上下に沿った間隙（上下間隙Ｄ１）を確保した状態にある。陳列棚５４０において本体キャビネット２０の開口２０ａに近接した前方側の縁部は、実施の形態１と同様、本体キャビネット２０の内壁２２と外壁２３との間に構成した空気流通ダクト３０の吹出口３１の鉛直下方域において、本体キャビネット２０の内方側に配置されている。
【００５１】
それぞれの陳列棚５４０には、図９および図１０に示すように、本体キャビネット２０の左右方向に沿って一端部から他端部に亘る部位に複数の通気孔５４１が形成してある。通気孔５４１は、陳列棚５４０の上面から下面に亘って連通した横断面が円形の開口であり、図１０に示すように、陳列棚５４０において本体キャビネット２０の開口２０ａから離隔した後方側の縁部となる部位に左右方向に沿って２列だけ設けてある。本体キャビネット２０の前後方向および左右方向に沿って隣接する通気孔５４１の相互間には、それぞれ共通となる中心間距離ｄが確保してある。個々の通気孔５４１は、その内径が商品収納域２１に収納する商品Ｇの外形寸法よりも小さく設定してあり、陳列棚５４０に商品Ｇを載置した場合には閉塞することが可能である。なお、陳列棚５４０に形成する通気孔５４１は、必ずしも２列である必要はなく、本体キャビネット２０の前後方向に沿った幅の後半部にのみ形成してあれば、１列や３列以上であっても構わない。
【００５２】
一方、実施の形態２のショーケース５１０には、商品収納域２１の内部において本体キャビネット２０の開口２０ａから離隔した後方側に位置する部位に内部吹出口５３１を有している。内部吹出口５３１は、空気流通ダクト３０を通過する際に蒸発器３４ａによって冷却された空気を本体キャビネット２０の開口２０ａから離隔した後方側に位置する部位において商品収納域２１の内部に吹き出すためのものである。本実施の形態２では、内壁２２の天壁２２ａにおいてもっとも後方側に位置する部位に、下方に向けて空気を吹き出す内部吹出口５３１が設けてあるとともに、内壁２２の側壁２２ｂにおいて各陳列棚５４０の上面よりも上方となる部位に、陳列棚５４０の上面に向けて空気を吹き出す内部吹出口５３１が設けてあり、さらに内壁２２の側壁２２ｂにおいて底壁２２ｃの上面よりも上方となる部位に、側壁２２ｂの上面に向けて空気を吹き出す内部空気吹出口３１が設けてある。なお、本体キャビネット２０における開口２０ａの上縁となる部位に吹出口３１を有しているのは、実施の形態１と同様である。
【００５３】
さらに、実施の形態２のショーケース５１０には、商品収納域２１の内部にカーテン５５０が配設してある。カーテン５５０は、内壁２２における天壁２２ａの下面および各陳列棚５４０の下面からそれぞれ下方に垂下する態様で設けた薄膜体であり、商品収納域２１の内部を本体キャビネット２０の開口２０ａに近接した前方側と開口２０ａから離隔した後方側とに仕切っている。それぞれのカーテン５５０は、内壁２２の天壁２２ａおよび各陳列棚５４０に対して近接離反可能に配設してあり、天壁２２ａの下面および陳列棚５４０の下面との間に前後方向に沿って間隙（前後間隙Ｄ２）を確保することが可能である。尚、ショーケース５１０に用いるカーテン５５０としては、可撓性を有した薄い幕体であることが好ましく、また後方側に載置させた商品Ｇの視認性を確保すべく透明であることが好ましい。
【００５４】
上記のように構成したショーケース５１０では、送風ファン３３および冷却ユニット３４を駆動すると、図９中の矢印Ａで示すように、送風ファン３３によって空気流通ダクト３０の内部の空気が一方方向に送出され、この間、冷却ユニット３４の蒸発器３４ａを通過する際に冷却されることになる。冷却ユニット３４の蒸発器３４ａによって冷却された空気は、空気流通ダクト３０の吹出口３１を通じて吸込口３２に向けて吹き出され、本体キャビネット２０の開口２０ａにエアカーテン（図９中の破線参照）を形成することになる。以降、空気流通ダクト３０の吸込口３２から吸い込まれた空気は、冷却ユニット３４の蒸発器３４ａによって冷却され、循環することになる。したがって、前述したエアカーテンと、空気流通ダクト３０の内部とで循環する空気により、商品収納域２１を冷却することができることになり、これにより陳列棚５４０や内壁２２の底壁２２ｃに載置された商品Ｇを冷却することができる。
【００５５】
この間、商品収納域２１の内部には、冷却ユニット３４の蒸発器３４ａを通過した後の冷却された空気が内部吹出口５３１からも供給されることになる。内部吹出口５３１から供給された空気は、陳列棚５４０の上方部や内壁２２の底壁２２ｃの上方部を通過して前方側に移行し、あるいは各陳列棚５４０と内壁２２の側壁２２ｂとの間に確保した上下間隙Ｄ１を通過して下方に移行し、最終的に空気流通ダクト３０の吸込口３２に吸い込まれることになる。こうした空気の流れは、陳列棚５４０や内壁２２の底壁２２ｃに載置された商品Ｇの配置状態が上下でバラ付いている場合にも大きな影響を受けることがない。これにより、内部吹出口５３１から吹き出された空気によっても商品Ｇが冷却されることになり、実施の形態１のショーケース５１０に比べて、商品Ｇの冷却効率を向上させることが可能となる。
【００５６】
しかも、実施の形態２のショーケース５１０においては、商品収納域２１の内部を前後に仕切るカーテン５５０を配設しているため、内部吹出口５３１から吹き出された空気は、そのほとんどが商品収納域２１の後方側において下方に案内されることになる。下方に案内された空気は、陳列棚５４０の後方側にまで商品Ｇが載置されている場合、陳列棚５４０と内壁２２の側壁２２ｂとの間に確保した上下間隙Ｄ１を通過して下方に移行し、商品Ｇが減少して陳列棚５４０の後方側が開放された場合、図１１に示すように、陳列棚５４０に形成した通気孔５４１も通過して下方に移行する。この結果、商品収納域２１に吹き出された空気は、外気と接する機会がほとんどなくなるため、吸込口３２から空気流通ダクト３０の内部に吸い込まれる空気の温度上昇を可及的に抑えることができ、冷却ユニット３４の負荷を低減して省エネルギー化を図ることが可能となる。
【００５７】
さらに、上述したカーテン５５０には、内壁２２の天壁２２ａの下面や陳列棚５４０の下面との間に前後間隙Ｄ２を確保することが可能である。したがって、カーテン５５０を適宜操作して前後間隙Ｄ２を確保すれば、内部吹出口５３１から吹き出された空気が前方側にまで移行することになり、陳列棚５４０の前方側と後方側とに温度分布が生じる恐れはない。
【００５８】
なお、上述した実施の形態２では、陳列棚５４０の後方側に通気孔５４１を設けるとともに、陳列棚５４０と内壁２２の側壁２２ｂとの間に上下間隙Ｄ１を確保するようにしているが、陳列棚５４０の通気孔５４１と上下間隙Ｄ１とは必ずしも両者を設ける必要はない。
【００５９】
また、上述した実施の形態２では、内壁２２の天壁２２ａおよび内壁２２の側壁２２ｂにそれぞれ内部吹出口５３１を設けるようにしているが、いずれか一方に内部吹出口５３１を設ければ十分である。
【００６０】
さらに、上述した実施の形態２では、天壁２２ａの下面および陳列棚５４０の下面すべてにカーテン５５０を配設しているが、必ずしもすべてに設ける必要はない。
【符号の説明】
【００６１】
１０    ショーケース
２０    本体キャビネット
２０ａ    開口
２１    商品収納域
３０    空気流通ダクト
３１    吹出口
３２    吸込口
３３    送風ファン
３４    冷却ユニット
３４ａ    蒸発器
４０    陳列棚
４１    通気孔
１４０    陳列棚
１４１    通気孔
２４０    陳列棚
２４１    通気孔
２５０    通気調節部材
２５１    調整孔
３４０    陳列棚
３４１    通気孔
３４２    案内部
４４０    陳列棚
４４１    通気孔
５１０    ショーケース
５３１    内部吹出口
５４０    陳列棚
５４１    通気孔
５５０    カーテン
Ｄ１    上下間隙
Ｄ２    前後間隙
Ｇ    商品
【図１】
2010203757.tif 000003
【図２】
2010203757.tif 000004
【図３】
2010203757.tif 000005
【図４】
2010203757.tif 000006
【図５】
2010203757.tif 000007
【図６】
2010203757.tif 000008
【図７−１】
2010203757.tif 000009
【図７−２】
2010203757.tif 000010
【図８】
2010203757.tif 000011
【図９】
2010203757.tif 000012
【図１０】
2010203757.tif 000013
【図１１】
2010203757.tif 000014